(57)【要約】【課題】機器の電源のＯＮ／ＯＦＦに関わらず機器固有データの書き込み読み出しを容易に行うことである。【解決手段】複写機本体２２に着脱可能な制御基板３０において、不揮発性メモリ３８は機器固有データを保持するメモリである。一方で内部バス４４により不揮発性メモリ３８と接続され、他方でアンテナ４２に接続される有線・無線共用メモリ４０は、不揮発性メモリ３８から機器固有データを受け取って保持する補助メモリと、無線インタフェースと、送受信切替手段とを備えている。送受信切替手段は、複写機２０の電源２８がＯＮのときに、不揮発性メモリ３８と外部のデータリード／ライトシステム１００との間で機器固有データの送受信を行わせ、電源ＯＦＦのときは、補助メモリと外部のデータリード／ライトシステム１００との間で機器固有データの送受信を行わせる。【選択図】図１
2005151055.tif 000002
【特許請求の範囲】
【請求項１】
機器に装着され、機器の使用条件又は使用状況に関する機器固有データを外部の無線送受信装置との間で送受信する機器固有データ送受信システムであって、
機器の電源がＯＮのときに機器固有データの読み書きを行い、機器の電源がＯＦＦのときに機器固有データを保持する不揮発性メモリと、
不揮発性メモリの保持する機器固有データの少なくとも一部の必須データを受け取って保持する補助メモリと、
アンテナと無線送受信インタフェースとを有する無線送受信手段と、
機器の電源がＯＮのときに、不揮発性メモリと外部の無線送受信装置との送受信を行い、機器の電源がＯＦＦのときに、補助メモリと外部の無線送受信装置との送受信に切り替える切替手段と、
を備えることを特徴とする機器固有データ送受信システム。
【請求項２】
請求項１に記載の機器固有データ送受信システムにおいて、
機器の電源のＯＦＦを指令する信号を検出し、検出されたＯＦＦ指令信号を遅延させて電源をＯＦＦするソフトスイッチ手段と、
電源のＯＦＦ指令信号に基づき、電源がＯＦＦされる前に、不揮発性メモリから必須データを補助メモリに転送するダウンロード手段と、
を備えることを特徴とする機器固有データ送受信システム。
【請求項３】
請求項１に記載の機器固有データ送受信システムにおいて、
機器の電源のＯＮを指令する信号を検出するＯＮ指令検出手段と、
検出された電源ＯＮ指令信号に基づき、機器の電源がＯＦＦの間に外部の無線送受信装置との間の送受信により補助メモリが記憶したデータを、補助メモリから不揮発性メモリに転送するアップロード手段と、
を備えることを特徴とする機器固有データ送受信システム。
【請求項４】
機器本体に着脱可能な部品に装着され、機器の使用条件又は使用状況に関する機器固有データを外部の無線送受信装置との間で送受信する機器固有データ送受信システムであって、
部品に機器本体から電源が供給されるときに機器固有データの読み書きを行い、部品に機器本体から電源が供給されないときに機器固有データを保持する不揮発性メモリと、
不揮発性メモリの保持する機器固有データの少なくとも一部の必須データを受け取って保持する補助メモリと、
アンテナと無線送受信インタフェースとを有する無線送受信手段と、
部品に機器本体から電源が供給されるときに、不揮発性メモリと外部の無線送受信装置との送受信を行い、部品に機器本体から電源が供給されないときに、補助メモリと外部の無線送受信装置との送受信に切り替える切替手段と、
を備えることを特徴とする機器固有データ送受信システム。
【発明の詳細な説明】
【技術分野】
【０００１】
本発明は、機器固有データ送受信システムに係り、機器に装着され機器の使用条件又は使用状況に関する機器固有データを外部の無線送受信装置との間で送受信する機器固有データ送受信システムに関する。
【背景技術】
【０００２】
画像処理装置のような制御機器、あるいはその機器に組み込まれる制御基板の機器固有データを読み出し、あるいは変更したい場合がある。例えば、機器を組み立てた後、ユーザ仕様に合わせ機器の使用条件を確認あるいは変更したいとき、機器のメンテナンスを行うときにその機器がユーザ先においてどのような使用条件の下でどの程度使用されたか等の使用状況を確認したいとき、倉庫内に置かれている機器の履歴等を知りたいとき、等のように、その機器の使用条件や使用状況に関する機器固有データを読み出し、あるいは変更することができれば便利である。
【０００３】
従来は、このような場合に備え、機器内に機器固有データを記憶するための不揮発性メモリが設けられる。そして、機器の操作部のキー等を用い、その使用条件の設定や変更が行われ、その結果や機器の使用状況のデータが不揮発性メモリに書き込まれる。書き込まれたデータは不揮発性のため、機器の電源がＯＦＦになっても失われずにそのまま保持される。また、機器の操作部のキー操作等により、不揮発性メモリに保持された機器固有データを例えばデータ出力端子から外部に出力して読み出すことができる。機器でなく、その制御基板等の基板であっても同様のことができれば便利である。
【０００４】
機器固有データの入出力をより容易にするものとして、特許文献１には、画像形成装置において赤外線通信手段を用いて外部装置から不揮発性メモリに画像形成装置の動作条件を入力し、また不揮発性メモリに記憶されている動作条件を読み出して外部装置に送信させる技術が開示されている。
【０００５】
【特許文献１】特開平９−１７９４５７号公報
【発明の開示】
【発明が解決しようとする課題】
【０００６】
従来技術において、機器固有データの書き込み読み出しは、機器自体が動作しているとき、すなわち機器の電源がＯＮのときに行われる。赤外線通信手段を用いる画像処理装置の例でもこの点は同じである。
【０００７】
したがって、機器の組み立てが完了した後、ユーザ仕様に合わせて機器固有データを設定変更しようとしても、一々機器の電源をＯＮにしなければならず不便である。また、機器のメンテナンス等でサービスマンが機器内部に記憶されている機器固有データを収集しようとするときも同様に一々機器の電源をＯＮにしなければならず不便である。
【０００８】
特に、機器が倉庫等で梱包されて管理されているときに、機器固有データの書き込み読み出しをしようとすると、梱包を一旦ほどき、機器を動作させる必要があり不便である。また、機器と独立に制御基板が組み立てられ、それが倉庫等に梱包されて管理されている場合においても同様である。
【０００９】
さらに、機器内部の制御基板が壊れた場合等には、そのままでは機器固有データを読み出せなくなるので、特殊なソケットを用いて不揮発性メモリの部分を入れ替え、あるいは予めその部分を別基板化する等の配慮が必要である。
【００１０】
本発明の目的は、かかる従来技術の課題を解決し、機器の電源のＯＮ／ＯＦＦに関わらず機器固有データの書き込み読み出しを容易に行うことのできる機器固有データ送受信システムを提供することである。
【課題を解決するための手段】
【００１１】
上記目的を達成するため、本発明に係る機器固有データ送受信システムは、機器に装着され、機器の使用条件又は使用状況に関する機器固有データを外部の無線送受信装置との間で送受信する機器固有データ送受信システムであって、機器の電源がＯＮのときに機器固有データの読み書きを行い、機器の電源がＯＦＦのときに機器固有データを保持する不揮発性メモリと、不揮発性メモリの保持する機器固有データの少なくとも一部の必須データを受け取って保持する補助メモリと、アンテナと無線送受信インタフェースとを有する無線送受信手段と、機器の電源がＯＮのときに、不揮発性メモリと外部の無線送受信装置との送受信を行い、機器の電源がＯＦＦのときに、補助メモリと外部の無線送受信装置との送受信に切り替える切替手段と、を備えることを特徴とする。
【００１２】
また、本発明に係る機器固有データ送受信システムにおいて、機器の電源のＯＦＦを指令する信号を検出し、検出されたＯＦＦ指令信号を遅延させて電源をＯＦＦするソフトスイッチ手段と、電源のＯＦＦ指令信号に基づき、電源がＯＦＦされる前に、不揮発性メモリから必須データを補助メモリに転送するダウンロード手段と、を備えることが好ましい。
【００１３】
また、本発明に係る機器固有データ送受信システムにおいて、機器の電源のＯＮを指令する信号を検出するＯＮ指令検出手段と、検出された電源ＯＮ指令信号に基づき、機器の電源がＯＦＦの間に外部の無線送受信装置との間の送受信により補助メモリが記憶したデータを、補助メモリから不揮発性メモリに転送するアップロード手段と、を備えることが好ましい。
【００１４】
また、本発明に係る機器固有データ送受信システムは、機器本体に着脱可能な部品に装着され、機器の使用条件又は使用状況に関する機器固有データを外部の無線送受信装置との間で送受信する機器固有データ送受信システムであって、部品に機器本体から電源が供給されるときに機器固有データの読み書きを行い、部品に機器本体から電源が供給されないときに機器固有データを保持する不揮発性メモリと、不揮発性メモリの保持する機器固有データの少なくとも一部の必須データを受け取って保持する補助メモリと、アンテナと無線送受信インタフェースとを有する無線送受信手段と、部品に機器本体から電源が供給されるときに、不揮発性メモリと外部の無線送受信装置との送受信を行い、部品に機器本体から電源が供給されないときに、補助メモリと外部の無線送受信装置との送受信に切り替える切替手段と、を備えることを特徴とする。
【発明の効果】
【００１５】
上記構成の少なくとも１つにより、不揮発性メモリと補助メモリと、アンテナと無線インタフェースを有する無線送受信手段を備え、機器の電源がＯＮのときに不揮発性メモリと外部の無線送受信装置との間の送受信を行い、機器の電源がＯＦＦのときに、補助メモリと外部の無線送受信装置との送受信に切り替える。したがって、機器の電源のＯＮ／ＯＦＦに関わらず機器固有データの書き込み読み出しを容易に行うことができる。
【００１６】
また、上記構成の少なくとも１つにより、機器の電源のＯＦＦ指令信号を検出し、これを遅延させて電源をＯＦＦするソフトスイッチ手段を備え、電源のＯＦＦ指令信号の検出から遅延時間の間で、不揮発性メモリから補助メモリに機器固有データをダウンロードする。したがって、補助メモリには、機器の電源がＯＦＦになる直前の最新の機器固有データがダウンロードされ、例えば、メンテナンスの際のデータ収集に便利である。
【００１７】
また、上記構成の少なくとも１つにより、機器のＯＮ指令信号を検出したときに、それまでの機器の電源ＯＦＦの期間に外部の送受信装置との間の送受信により補助メモリが記憶したデータを不揮発性メモリにアップロードする。したがって、不揮発性メモリには、機器の電源がＯＦＦの間に外部の無線送受信装置との間で行われた機器固有データの変更等がそのままアップロードされ、常に最新の機器固有データを保持することができる。すなわち、機器の電源がＯＦＦされても、最新の機器固有データに更新することができる。
【００１８】
また、上記構成の少なくとも１つにより、機器本体に着脱可能な部品、例えば制御基板や、機器の消耗部品等に、機器固有データ送受信システムが装着される。したがって、機器本体に着脱可能な部品と、外部の無線送受信装置との間で機器固有データを送受信できる。例えば、制御基板や消耗部品等が機器から独立して倉庫等に管理されている場合に、機器の電源のＯＮ／ＯＦＦに関わりなく、独立してその機器固有データの読み書きを外部の無線送受信装置との間で行うことができる。
【発明を実施するための最良の形態】
【００１９】
以下に図面を用いて本発明に係る実施の形態につき詳細に説明する。以下において、本発明に係る機器固有データ送受信システムが適用される制御機器を複写機とし、より具体的には、複写機の制御基板に機器固有データ送受信システムが装着される場合を説明するが、複写機以外の画像処理装置、例えばプリンタ、ファクシミリ装置等でもよい。また、画像処理装置以外でも、機器固有データを記憶する不揮発性メモリを有する制御機器であってもよい。また、機器固有データ送受信システムが装着されるのは機器の制御基板の他、機器本体と着脱可能な部品、例えばトナーカートリッジや、インクジェットカートリッジ、リボンカートリッジ等の消耗部品であってもよい。
【００２０】
図１は、機器固有データ送受信システム１０を装着する複写機２０と、外部のデータリード／ライトシステム１００との間で機器固有データの送受信を行う様子を示す図である。ここで、複写機２０は、複写機本体２２と、複写機本体２２に着脱可能な制御基板３０とを備える。機器固有データ送受信システム１０は制御基板３０上に設けられる。複写機本体２２の筐体は、電磁波シールド処理が行われるのが好ましいが、その一部において無線送受信に適するように、電磁波シールドが除かれる電波開口部２１が設けられる。複写機本体２２には複写機能のための各要素が搭載されるが、図１においては図示を省略する。
【００２１】
複写機本体２２には、複写機２０全体のための電源回路２４が設けられる。電源回路２４は、ソフトスイッチ回路２６と、電源２８とを備える。ソフトスイッチ回路２６は、例えば電源ＯＦＦ指令信号を受け取ったとき、そのまま電源２８をＯＦＦするのでなく、適当な遅延時間の経過の後に電源２８をＯＦＦする機能を有する回路である。電源ＯＮ／ＯＦＦ指令信号２５は、オペレータの手動により与えることもでき、制御基板３０側から与えることもできる。ソフトスイッチ回路２６によりＯＮ／ＯＦＦ制御された電源２８の出力は制御基板３０に供給される。
【００２２】
データリード／ライトシステム１００は、機器固有データ送受信システム１０との間で機器固有データの交信を行うもので、複写機２０又は制御基板３０から見て外部の無線送受信装置に相当するものである。データリード／ライトシステム１００は、アンテナ１０２と、アンテナ１０２に接続されアナログ信号とディジタル信号との間の変換を行うアナログ／ディジタル変換回路（Ａｎａｌｏｇ／ｄｉｇｉｔａｌ  ｃｏｎｖｅｒｔｅｒ：Ａ／Ｄ）１０４と、これに接続されるデータ処理装置１０６を含む。かかるデータリード／ライトシステム１００は、例えば、メンテナンスのために、機器固有データの収集、設定、変更等を行いやすくした専用システム等を用いることができるほか、一般的な送受信回路とＡ／Ｄ変換回路とパーソナルコンピュータ等を組み合わせたものを用いることができる。
【００２３】
制御基板３０は、複写機２０全体の動作を制御する機能を有し、機器固有データ送受信システム１０を搭載する回路基板である。制御基板３０は、ＣＰＵ３２、制御プログラム等を格納する読出専用メモリ（Ｒｅａｄ  Ｏｎｌｙ  Ｍｅｍｏｒｙ：ＲＯＭ）３４、データを一時的に記憶するランダムアクセスメモリ（Ｒａｎｄｏｍ  Ａｃｃｅｓｓ  Ｍｅｍｏｒｙ：ＲＡＭ）３６、機器固有データを記憶する不揮発性メモリ（Ｎｏｎ  Ｖｏｌａｔｉｌｅ  Ｍｅｍｏｒｙ：ＮＶＭ）３８、有線・無線共用メモリ４０を含み、これらは内部バス４４により相互に接続される。有線・無線共用メモリ４０にはアンテナ４２が接続される。アンテナ４２は、電波開口部２１の付近に配置されるのが好ましい。
【００２４】
ここで、不揮発性メモリ３８と、有線・無線共用メモリ４０と、これを接続する内部バス４４と、アンテナ４２の部分とが、機器固有データ送受信システム１０を構成する。
【００２５】
不揮発性メモリ３８は、機器固有データを記憶するメモリで、複写機２０の電源２８がＯＮのときにデータ読み書きができ、電源２８がＯＦＦになっても書き込まれたデータを失う（揮発させる）ことなく保持することができるメモリである。不揮発性メモリ３８としては、例えば、ＥＥＰＲＯＭ（Ｅｌｅｃｔｒｉｃａｌ  Ｅｒａｓａｂｌｅ  Ｐｒｏｇｒａｍａｂｌｅ  Ｒｅａｄ  Ｏｎｌｙ  Ｍｅｍｏｒｙ）等の半導体メモリを用いることができる。
【００２６】
有線・無線共用メモリ４０は、不揮発性メモリ３８の保持する機器固有データの少なくとも一部の必須データを保持するメモリであって、不揮発性メモリ３８との間は内部バス４４を介して有線で交信でき、外部のデータリード／ライトシステム１００との間はアンテナ４２を介して無線で交信できるメモリである。図２に有線・無線共用メモリ４０のより詳細なブロック図を示す。なお、以下の説明においても図１に示した符号を用いる。
【００２７】
図２において、ディジタル有線インタフェース５０は、内部バス４４と有線・無線共用メモリ４０とを有線接続する機能を有するインタフェースである。具体的には、不揮発性メモリ３８と有線・無線共用メモリ４０との間のディジタル信号の入出力を行うほか、電源ＯＮ／ＯＦＦ指令信号２５を有線・無線共用メモリ４０側に供給する。複写機２０の電源２８からの電力は、これとは別の電源インタフェースにより有線・無線共用メモリ４０に供給される。電源インタフェースとディジタル有線インタフェースとを一体にして構成してもよい。
【００２８】
Ａ／Ｄ変換回路５２は、ディジタル信号とアナログ信号との間の変換を行う回路である。具体的には、ディジタル信号を受け取りこれをアナログ信号に変換してアンテナ４２側に出力する機能と、アンテナ４２側から受け取ったアナログ信号をディジタル信号に変換して例えばディジタル有線インタフェース５０側に出力する機能を有する。
【００２９】
アナログ無線インタフェース５４は、Ａ／Ｄ変換回路５２から受け取ったアナログ信号に基づき、アンテナ４２を介して外部に無線信号を送信するための送信回路と、アンテナ４２から受け取った無線信号に基づき、Ａ／Ｄ変換回路５２にアナログ信号を出力する受信回路とを含む無線送受信回路である。また、アナログ無線インタフェース５４には、アンテナ４２から受け取った無線信号に基づいて作動電力を生成する電力生成回路が含まれる。生成された作動電力は、複写機２０の電源２８がＯＦＦの場合等で電源２８から電力が有線・無線共用メモリ４０に供給されないときに、有線・無線共用メモリ４０の作動のため用いられる。
【００３０】
メモリインタフェース５６は、補助メモリ５８のデータ入出力のために設けられるインタフェース回路である。補助メモリ５８は、機器固有データを保持するメモリである。具体的には、ディジタル有線インタフェース５０を介して不揮発性メモリ３８の保持する機器固有データをダウンロードして保持し、また他方ではアンテナ４２とアナログ無線インタフェース５４を介して外部のデータリード／ライトシステム１００から受け取った機器固有データの更新データ等を保持する機能を有する。補助メモリ５８の「補助」の語は、もともと機器固有データを読み書きするものである不揮発性メモリ３８に対応して用いたもので、記憶される内容が補助という意味ではない。すなわち補助メモリの保持する内容は不揮発性メモリ３８の保持する内容と全く同じものであってもよく、少なくともメンテナンス等に必須のデータが含まれていれば不揮発性メモリ３８の保持する内容より少なくてもよい。
【００３１】
切替手段６０は、アンテナ４２を介して外部と機器固有データの交信を行う主体を、複写機２０の電源２８のＯＮ／ＯＦＦに基づいて切り替える機能を有するもので、具体的にはスイッチ６２，６４とスイッチ制御回路６６とアービトレーション回路６８とを含む。
【００３２】
スイッチ６２の端子７０はディジタル有線インタフェース５０に接続され、これに対応して２つの選択端子７２，７４が設けられる。このうち一方の選択端子７２はスイッチ６２の一方の選択端子８２に接続され、他方の選択端子７４は補助メモリ５８側に接続される。
【００３３】
スイッチ６４の端子８０はＡ／Ｄ変換回路５２を介してアナログ無線インタフェース５４に接続され、これに対応して２つの選択端子８２，８４が設けられる。このうち一方の選択端子８２は前述のようにスイッチ６２の一方の選択端子７２に接続され、他方の選択端子８４は補助メモリ５８側に接続される。
【００３４】
アービトレーション回路６８は、スイッチ６２側からの信号とスイッチ６４側からの信号がともに補助メモリ５８側に供給される等の信号の衝突があるときに、その優先順位を定める機能を有する選択回路である。例えば、いずれかの信号が先に供給されたときはその信号の供給が終了するまで他の信号の供給を待機させる等の優先決定ルールを定めて、信号の衝突を回避することができる。
【００３５】
スイッチ制御回路６６は、複写機２０の電源２８に対する電源ＯＮ／ＯＦＦ指令信号２５に基づき、スイッチ６２，６４の接続を切り替える制御回路である。スイッチ制御回路６６の作用を図３から図６を用いて説明する。
【００３６】
図３は、複写機２０の電源２８がＯＮのときにおける機器固有データの送受信の様子を示す図である。この場合は、スイッチ制御回路６６により、ディジタル有線インタフェース５０とスイッチ６２の選択端子７２とが接続され、Ａ／Ｄ変換回路５２を介したアナログ無線インタフェース５４とスイッチ６４の選択端子８２とが接続される。したがって、不揮発性メモリ３８−内部バス４４−ディジタル有線インタフェース５０−スイッチ６２の選択端子７２−スイッチ６４の選択端子８２−Ａ／Ｄ変換回路５２−アナログ無線インタフェース５４−アンテナ４２−外部のデータリード／ライトシステム１００の経路を経て、不揮発性メモリ３８と外部のデータリード／ライトシステム１００との間で、機器固有データの交信が行われる。このとき、補助メモリ５８は読み書き等の動作を行わない。
【００３７】
図４は、複写機２０の電源２８に対し電源ＯＦＦ指令信号が出されたときの機器固有データの流れを示す図である。この前には電源２８はＯＮであるので、機器固有データの更新はすべて不揮発性メモリ３８に対して行われている。そこで、電源２８がＯＦＦする前に、その最新の機器固有データを補助メモリ５８にダウンロードする。すなわち、電源ＯＦＦ指令信号をスイッチ制御回路６６が受け取ると、スイッチ６２に対し、ディジタル有線インタフェース５０と選択端子７４とを接続するように制御を行う。したがって、不揮発性メモリ３８−内部バス４４−ディジタル有線インタフェース５０−スイッチ６２の選択端子７４−アービトレーション回路６８−メモリインタフェース５６−補助メモリ５８の経路に沿って、不揮発性メモリ３８に保持されている最新の機器固有データが補助メモリ５８にダウンロードされる。ダウンロードに要する時間は、ソフトスイッチ回路２６において設定されている遅延時間より十分短いので、電源２８がＯＦＦされる前に、必要な機器固有データは補助メモリ５８にダウンロードされる。なお、ダウンロードの制御は、有線・無線共用メモリ４０の図示されていないデータ制御回路により行われる。
【００３８】
図５は、複写機２０の電源２８がＯＦＦのときにおける機器固有データの送受信の様子を示す図である。この場合は、スイッチ制御回路６６により、ディジタル有線インタフェース５０と補助メモリ５８との間の接続が開放されるとともに、Ａ／Ｄ変換回路５２を介したアナログ無線インタフェース５４とスイッチ６４の選択端子８４とが接続される。したがって、補助メモリ５８−メモリインタフェース５６−アービトレーション回路６８−スイッチ６４の選択端子８４−アナログ無線インタフェース５４−アンテナ４２−外部のデータリード／ライトシステム１００の経路を経て、補助メモリ５８と外部のデータリード／ライトシステム１００との間で、機器固有データの交信が行われる。このとき、不揮発性メモリ３８のデータはアンテナ４２に供給されない。
【００３９】
図６は、複写機２０の電源２８に対し電源ＯＮ指令信号が出されたときの機器固有データの流れを示す図である。この前には電源２８はＯＦＦであるので、機器固有データの更新はすべて補助メモリ５８に対して行われている。そこで、電源２８がＯＮしたら直ちに補助メモリ５８が保持している最新の機器固有データを不揮発性メモリ３８にアップロードする。すなわち、電源ＯＮ指令信号をスイッチ制御回路６６が受け取ると、スイッチ６２に対し、ディジタル有線インタフェース５０と選択端子７４とを接続するように制御を行う。したがって、図４で説明したと同様に、補助メモリ５８−メモリインタフェース５６−アービトレーション回路６８−スイッチ６２の選択端子７４−ディジタル有線インタフェース５０−内部バス４４−不揮発性メモリ３８の経路に沿って、補助メモリ５８に保持されている最新の機器固有データが不揮発性メモリ３８にアップロードされる。アップロードが終われば、再び図３の状態にもどる。なお、アップロードの制御は、有線・無線共用メモリ４０の図示されていないデータ制御回路により行われる。
【００４０】
このようにして、複写機２０の電源２８がＯＮのときは、不揮発性メモリ３８と外部のデータリード／ライトシステム１００との間で最新の機器固有データの送受信を行い、電源２８がＯＦＦのときは、補助メモリ５８と外部のデータリード／ライトシステム１００との間で最新の機器固有データの送受信を行うことができる。
【００４１】
したがって、複写機２０や、制御基板３０の単体が梱包等により倉庫の保管されているように、複写機２０の電源２８をＯＮとするのが困難な場合でも、補助メモリ５８と交信することで外部のデータリード／ライトシステム１００に最新の機器固有データを収集することができ、メンテナンスに便利である。
【００４２】
また、外部のデータリード／ライトシステム１００から補助メモリ５８にアクセスし、ユーザ仕様に合わせて複写機２０や制御基板３０の機器固有データの更新を容易に行うこともでき、便利である。
【００４３】
また、制御基板３０の検査工程や出荷時において、電源を供給することなく外部のデータリード／ライトシステム１００から補助メモリ５８にアクセスし、機器固有データの読み書きができるので、検査・出荷工数を低減することが可能となる。また、機器固有データ送受信システム１０を機器から着脱可能な消耗品等の部品に装着するときは、その部品が目的とする機器に適合するものかどうかについて、補助メモリ５８にアクセスして機器固有データを読み出すことで容易に判別できる。
【００４４】
また、複写機２０が動作中であっても、外部のデータリード／ライトシステム１００から不揮発性メモリ３８にアクセスし、機器固有データを容易に読み出すことができ、メンテナンス性を向上させることができる。
【００４５】
また、仮に制御基板３０の一部が破壊された場合でも、有線・無線共用メモリ４０の部分が生きていれば、外部のデータリード／ライトシステム１００から機器固有データを読み出すことができ、便利である。
【図面の簡単な説明】
【００４６】
【図１】本発明に係る実施の形態における機器固有データ送受信システムを装着する複写機と、外部のデータリード／ライトシステムとの間で機器固有データの送受信を行う様子を示す図である。
【図２】本発明に係る実施の形態における有線・無線共用メモリの詳細なブロック図である。
【図３】本発明に係る実施の形態において、電源がＯＮの場合のスイッチ制御回路の作用を説明する図である。
【図４】本発明に係る実施の形態において、電源ＯＦＦ指令信号が出た場合のスイッチ制御回路の作用を説明する図である。
【図５】本発明に係る実施の形態において、電源がＯＦＦの場合のスイッチ制御回路の作用を説明する図である。
【図６】本発明に係る実施の形態において、電源ＯＮ指令信号が出た場合のスイッチ制御回路の作用を説明する図である。
【符号の説明】
【００４７】
１０  機器固有データ送受信システム、２０  複写機、２１  電波開口部、２２  複写機本体、２４  電源回路、２５  電源ＯＮ／ＯＦＦ指令信号、２６  ソフトスイッチ回路、２８  電源、３０  制御基板、３８  不揮発性メモリ、４０  有線・無線共用メモリ、４２，１０２  アンテナ、４４  内部バス、５０  ディジタル有線インタフェース、５２，１０４  Ａ／Ｄ変換回路、５４  アナログ無線インタフェース、５６  メモリインタフェース、５８  補助メモリ、６０  切替手段、６２，６４  スイッチ、６６  スイッチ制御回路、６８  アービトレーション回路、１００  データリード／ライトシステム、１０６  データ処理装置。
【図１】
2005151055.tif 000003
【図２】
2005151055.tif 000004
【図３】
2005151055.tif 000005
【図４】
2005151055.tif 000006
【図５】
2005151055.tif 000007
【図６】
2005151055.tif 000008